(57)【特許請求の範囲】
【請求項１】
第一のリンク機構と、この第一のリンク機構に並置された第二のリンク機構と、一端が第一のリンク機構に、他端が第二のリンク機構に夫々連結されてなる複数のスラット支持機構と、このスラット支持機構の夫々に支持されたスラットと、スラットを上昇、下降させる上昇・下降機構と、この上昇・下降機構によるスラットの上昇、下降において第一及び第二のリンク機構に相対的な位置変化を生じさせて、スラットを傾動させるチルト機構とを具備しており、各スラット支持機構は、略中央部でスラットを支持するアーム部材を具備しており、第一のリンク機構は、各アーム部材の一端部に連結された可撓性の帯状体を具備しており、第二のリンク機構は、各アーム部材の他端部に連結された可撓性の帯状体を具備しており、各帯状体は、折り畳み方向を規定する縫合線部又は溶着線部をその長手方向において略等間隔に具備しているブラインド装置。
【請求項２】
各帯状体は、縫合又は溶着された重ね合わせ部と、重ね合わせ部に連続したループ部とをその長手方向において略等間隔に有しており、アーム部材は、アーム本体と、このアーム本体の各端部に設けられていると共に帯状体のループ部に挿着された軸部とを具備している請求項１に記載のブラインド装置。
【請求項３】
各帯状体には、孔を形成する孔形成部材がその長手方向において略等間隔に縫合又は溶着されており、アーム部材は、アーム本体と、孔形成部材によって形成された孔に挿着されていると共にアーム本体の各端部に設けられた軸部とを具備している請求項１又は２に記載のブラインド装置。
【請求項４】
各帯状体は、合成樹脂製糸の織物又は編物からなる請求項１から３のいずれか一項に記載のブラインド装置。
【請求項５】
上昇・下降機構は、最下位のアーム部材に連結されており、最下位のアーム部材を持ち上げてスラットを上昇させるようになっている請求項１から４のいずれか一項に記載のブラインド装置。
【請求項６】
上昇・下降機構は、チルト機構を介して最上位のアーム部材に連結されており、チルト機構を介して最上位のアーム部材を持ち上げてスラットを上昇させるようになっている請求項１から４のいずれか一項に記載のブラインド装置。
【発明の詳細な説明】
【０００１】
【発明の属する技術分野】
本発明は、建物の窓等の開口部に配されて、当該開口部を開閉するためのブラインド装置に関する。
【０００２】
【発明が解決しようとする課題】
本出願人は、先に、特開平８−３２６４４５号に記載されているようなブラインド装置を提案した。
【０００３】
特開平８−３２６４４５号公報に記載のブラインド装置１は、図１１から図１９に示されるように、リンク機構２と、リンク機構２に並置されたリンク機構３と、一端部４が軸部５を介してリンク機構２に、他端部６が軸部７を介してリンク機構３に夫々回動自在に連結されてなる複数のスラット支持機構８と、スラット支持機構８の夫々に支持されたスラット９と、最下位のスラット支持機構８のアーム部材３１に連結されており、最下位のアーム部材３１を持ち上げてスラット９を上昇させる一方、最下位のアーム部材３１を下降させてスラット９を下降させる上昇・下降機構１４と、リンク機構２及び３の夫々の上端１０及び１１に連結されており、上昇・下降機構１４によるスラット９の上昇、下降においてリンク機構２及び３に相対的な位置変化を生じさせて、スラット９を傾動させるチルト機構１２とを具備している。
【０００４】
リンク機構２は、軸部５及び軸２１を介して直列に互いに回動自在に連結された複数のリンク部材２２を具備しており、リンク機構３は、軸部７及び軸２３を介して直列に互いに回動自在に連結された複数のリンク部材２４を具備している。リンク部材２２及び２４には、屈曲（折り畳み）方向を規定する規制片２５が一体的に設けられている。
【０００５】
スラット支持機構８の夫々は、一端部４が、リンク部材２２の互いの回動自在な連結部（軸部５及び軸２１の部位）において、一つ置きの連結部（軸部５の部位）に軸部５を介して回動自在に連結されており、他端部６が、リンク部材２４の互いの回動自在な連結部（軸部７及び軸２３の部位）において、一つ置きの連結部（軸部７の部位）に軸部７を介して回動自在に連結されているアーム部材３１と、アーム部材３１の略中央部に一体的に固着されて、水平方向に伸びた取付部３２とを有しており、取付部３２は、縦枠３３に形成された上下方向に伸びる案内路３４を通って伸長していると共にアーム部材３１の略中央部に一端で固着された軸部３５と、縦枠３３の外側に配されていると共にスラット９の一端部が嵌着されている板状嵌着部３６とを一体的に具備しており、こうしてスラット支持機構８の夫々は、案内路３４に案内されて上下動自在であって、アーム部材３１の夫々は、その略中央部でスラット９の夫々を支持している。
【０００６】
チルト機構１２は、軸４１に軸受４２を介して回転自在に設けられた回転体４３と、夫々の一端部４４及び４５が回転体４３に、夫々の他端４６及び４７がリンク機構２及び３の夫々の上端１０及び１１に夫々連結された一対の紐状体、例えばワイヤ５０及び５１と、上昇・下降機構１４の作動を回転体４３に伝達するクラッチ機構１５とを具備している。
【０００７】
揺動体としての回転体４３は、チルト機構１２の作動においてワイヤ５０及び５１を差動的に上昇、下降させるように、揺動（回転）する。
【０００８】
上昇・下降機構１４は、一端５９及び他端部６０を有する有端の可撓性の走行体としてのチェーン６１と、チェーン６１の撓みを阻止する撓み阻止手段６２と、チェーン６１をＡ及びＢ方向に走行させる走行装置６３と、取付部３２を介してチェーン６１を最下位のアーム部材３１に連結する連結手段６４とを具備している。
【０００９】
阻止手段６２は、縦枠３３に一体的に形成された一対の案内壁７１及び７２と、縦枠３３に設けられて、スプロケットホイール７３の周りに配されたチェーン押え７０とを具備しており、チェーン６１は、一対の案内壁７１及び７２間に形成された案内路７４及び７５並びにチェーン押え７０とスプロケットホイール７３との間のチェーン通路７６を通って走行し、これらの一対の案内壁７１及び７２並びにチェーン押え７０によりその撓みが阻止されている。
【００１０】
走行装置６３は、チェーン６１が噛み合って係合する回転体としてのスプロケットホイール７３と、スプロケットホイール７３を回転させる回転駆動装置７８とを具備しており、スプロケットホイール７３は、回転体４３と同軸に配されて、軸４１に固着されて設けられており、回転駆動装置７８は、電動モータ７９と、電動モータ７９を支持して縦枠３３に取り付けられており、電動モータ７９の出力回転軸の回転を減速して軸４１に伝達する減速機８０とを具備しており、電動モータ７９の作動で軸４１を回転させて、スプロケットホイール７３を回転させ、これによりスプロケットホイール７３に掛けられたチェーン６１をＡ及びＢ方向に走行させる。
【００１１】
連結手段６４は、最下端（最下位）のスラット支持機構８を介してチェーン６１の一端５９をリンク機構２及び３の下部に連結しており、案内路３４に案内されて上下動自在であって、スラット支持機構８に連結された可動体８１と、一端８２が可動体８１に回動かつ直動自在に連結されており、他端８３がチェーン６１の一端５９に回動自在に連結されたアーム部材８４と、チェーン６１とアーム部材８４との間に配されており、一端８５がチェーン６１の一端５９に、他端８６がアーム部材８４に夫々係止され、中央部がピン９５に巻かれたねじりコイルばね８７からなる弾性手段８８とを具備しており、可動体８１は、取付部３２の軸部３５が貫通しており、案内路３４に配されて当該案内路３４に案内されて上下動自在な本体９１と、本体９１にピン９２を介して取り付けられた板状の取付部材９３とを具備しており、アーム部材８４は、一端８２に長孔９４を有しており、長孔９４にピン９２が挿通されていることにより、当該一端８２で可動体８１に回動かつ直動自在に連結されている。アーム部材８４の他端８３はピン９５を介してチェーン６１の一端５９に回動自在に連結されている。ばね８７は、チェーン６１の一端５９に対してアーム部材８４を反時計回りに回動させるように、チェーン６１の一端５９に対してアーム部材８４を弾性的に付勢し、これにより可動体８１を案内路３４に沿って下方に移動させるようにしている。
【００１２】
クラッチ機構１５は、回転体４３に軸９６を介して回動自在に取り付けられた爪部材９７と、爪部材９７が係合するように縦枠３３に取り付けられた係合ピン９８と、爪部材９７に当接して爪部材９７の係合ピン９８への係合を解除するように、上昇・下降機構１４のチェーン６１に設けられた係合突起９９（特に図１７ないし図１９参照）とを具備しており、爪部材９７は、係合ピン９８に係合する凹所１００を有した爪部１０１と、係合突起９９に当接する当接部１０２とを一体的に有しており、回転体４３には、係合突起９９の当接部１０２への当接のために、係合突起９９の当接部１０２への接近を許容する切り欠き１０３が形成されている。係合突起９９の当接部１０２への当接により、爪部材９７が回動されて爪部１０１の凹所１００と係合ピン９８との互いの係合が解除されると、回転体４３は回転可能となり、したがって、チェーン６１の走行と共に回転体４３は回転され、係合突起９９の当接部１０２への当接の解除により、爪部材９７が回動されて爪部１０１の凹所１００と係合ピン９８とが互いに係合されると、回転体４３は係合ピン９８を介して縦枠３３に固定されて回転不可能となる。
【００１３】
またブラインド装置１では、建物の開口部を挟んで上記のような縦枠３３が左右に設けられ、左右の縦枠３３には、上記の機構が同様に装着されており、したがってスラット９の各々の他端は、上記と同様に図示しないスラット支持機構の各々に支持されている。また、軸４１は、他方の縦枠３３まで長く伸ばされて、上記と同様に他方の縦枠３３に設けられた上昇・下降機構を同期して作動させるようになっている。尚、１０５は、上記公報に記載されてない上方カバーであって、上方カバー１０５は、回転駆動装置７８等を覆って、縦枠３３に支持されている。
【００１４】
以上のブラインド装置１では、図１６に示すように、リンク機構２及び３が伸長された状態では、スラット９は、建物の開口部を完全に閉鎖するように、ほぼ垂直に傾動されており、図１９に示すように、チェーン６１に設けられた係合突起９９は、切り欠き１０３に配されて爪部材９７の当接部１０２と当接している。この状態から電動モータ７９が作動されると、軸４１の回転により、スプロケットホイール７３が回転されてチェーン６１がＡ方向に走行される。チェーン６１のＡ方向の走行により係合突起９９も軸４１を中心として反時計回りに移動され、係合突起９９のこの移動により回転体４３も、図１８に示すように反時計回りに回動され、回転体４３の回動により、ワイヤ５０が上方に引っ張られ、ワイヤ５１が下方に下げられ、而して、ワイヤ５０及び５１の差動的な上昇、下降により、図１２に示すように、リンク機構３に対してリンク機構２が相対的に上方に持ち上げられて、アーム部材３１の夫々がほぼ水平に回動され、これによりスラット９の夫々もほぼ水平に回動されて簾状にされる。更にチェーン６１がＡ方向に走行されると、係合突起９９が切り欠き１０３から抜け始め、係合突起９９の切り欠き１０３からの抜けにより、係合突起９９が次には爪部１０１に当接して爪部材９７を軸９６を中心として回動させ、爪部１０１の凹所１００と係合ピン９８とを互いに係合させる。図１７に示すように、爪部１０１の凹所１００が係合ピン９８に係合することにより、回転体４３の回転は阻止されて、その状態に保持される。チェーン６１のＡ方向の走行が続行されることにより、連結手段６４を介してチェーン６１の下端に連結された最下位のアーム部材３１が持ち上げられ、この最下位のアーム部材３１の持ち上げでリンク機構２及び３の夫々のリンク部材２２及び２４が下方から順次折り畳まれ始め、この折り畳み、即ち屈曲により、リンク機構２及び３にスラット支持機構８を介して取り付けられたスラット９が下方から順次重ね合わされる。上方においてスラット９が全て重ね合わされると、検出器等からの信号により電動モータ７９の作動が停止され、開口部が完全開放された状態が維持される。
【００１５】
開口部が完全開放された状態又は開口部の途中開放状態で、電動モータ７９が前記と逆に作動されると、チェーン６１がＢ方向に走行され、これによりリンク機構２及び３の夫々のリンク部材２２及び２４は上方より折り畳みが解除されて伸長され始め、スラット束は上方のスラット９よりその重ね合わせが解除され始める。リンク機構２及び３の夫々のリンク部材２２及び２４が全て伸長されてスラット９もまたその重ね合わせが全て解除されると、図１７に示すように、係合突起９９が切り欠き１０３に挿入され始め、この挿入により図１８に示すように、係合突起９９が爪部材９７の当接部１０２に当接して爪部材９７を回動させて、凹所１００の係合ピン９８への係合を解除し、この解除により係合突起９９の移動と共に回転体４３は、図１９に示すように前記と逆に時計回りに回転され、ワイヤ５１が上方に引っ張られ、ワイヤ５０が下方に下げられ、ワイヤ５１及び５０のこのような差動的な上昇、下降によりリンク機構２及び３に相対的変位が生じて、リンク機構２及び３にスラット支持機構８を介して取り付けられたスラット９は逆に傾動され、図１６に示すように開口部を完全に閉鎖するようになる。その後、検出器等からの信号により電動モータ７９の作動が停止され、開口部が完全閉鎖された状態が維持される。
【００１６】
そしてブラインド装置１では、開口部が完全閉鎖された後において、直ちに電動モータ７９の作動が停止されず、チェーン６１が若干Ｂ方向に更に走行されても、チェーン６１の一端５９に他端８３で回動自在に連結されたアーム部材８４自体がばね８７の弾性力に抗してピン９２を中心として回動しかつその一端８２で可動体８１に対して直動して、可動体８１の更なる下方移動を生じさせないようになっている。
【００１７】
ところで、前記公報に記載のブラインド装置１では、リンク機構２及び３の夫々がリンク部材２２及び２４の夫々を軸２１及び２３を介して互いに連結してなるために、リンク機構２及び３の組立にかなりの時間を要し、加えて、軸２１及び２３でのリンク部材２２及び２４の夫々の互いの回動が滑らかに行われないと、リンク部材２２及び２４の折り畳み、伸長も滑らかに行われなくなり、スラット９の持ち上げ、下降に大きな力を必要とする。
【００１８】
本発明は、前記諸点に鑑みてなされたものであって、その目的とするところは、リンク機構を短時間で組立でき、しかも、リンク機構の折り畳み、伸長を滑らかに行わせることができ、スラットの持ち上げ、下降を容易に行い得るブラインド装置を提供することにある。
【００１９】
【課題を解決するための手段】
本発明の第一の態様のブラインド装置は、第一のリンク機構と、この第一のリンク機構に並置された第二のリンク機構と、一端が第一のリンク機構に、他端が第二のリンク機構に夫々連結されてなる複数のスラット支持機構と、このスラット支持機構の夫々に支持されたスラットと、スラットを上昇、下降させる上昇・下降機構と、この上昇・下降機構によるスラットの上昇、下降において第一及び第二のリンク機構に相対的な位置変化を生じさせて、スラットを傾動させるチルト機構とを具備しており、各スラット支持機構は、略中央部でスラットを支持するアーム部材を具備しており、第一のリンク機構は、各アーム部材の一端部に連結された可撓性の帯状体を具備しており、第二のリンク機構は、各アーム部材の他端部に連結された可撓性の帯状体を具備している。
【００２０】
本発明の第一の態様のブラインド装置によれば、軸を介して互いに回動自在に連結された一対のリンク部材列に代えて、各アーム部材の一端部に連結された可撓性の帯状体を具備して各リンク機構が構成されているために、リンク機構を短時間で組立でき、しかも、リンク機構の折り畳み、伸長を滑らかに行わせることができ、スラットの持ち上げ、下降を容易に行い得る。
【００２１】
本発明の第二の態様のブラインド装置では、第一の態様のブラインド装置において、各帯状体は、縫合又は溶着された重ね合わせ部と、重ね合わせ部に連続したループ部とをその長手方向において略等間隔に有しており、アーム部材は、アーム本体と、このアーム本体の各端部に設けられていると共に帯状体のループ部に挿着された軸部とを具備している。
【００２２】
本発明の第三の態様のブラインド装置では、第一又は第二の態様のブラインド装置において、各帯状体には、孔を形成する孔形成部材がその長手方向において略等間隔に縫合又は溶着されており、アーム部材は、アーム本体と、孔形成部材によって形成された孔に挿着されていると共にアーム本体の各端部に設けられた軸部とを具備している。
【００２３】
第二及び第三の態様のブラインド装置によれば、ループ部又は孔にアーム部材の軸部を挿入することにより、簡単に各スラット支持機構をリンク機構に連結でき、組立工数を大幅に低減できる。
【００２４】
各帯状体は、好ましくは本発明の第四の態様のブラインド装置のように、その長手方向において略等間隔に折り畳み方向を規定する縫合線部又は溶着線部を具備している。
【００２５】
斯かる縫合線部又は溶着線部を具備していると、各帯状体が意図しない方向に折り畳まれるのを防ぐことができて、各スラットを確実に水平にして重ね合わせることができる。
【００２６】
各帯状体は、好ましくは本発明の第五の態様のブラインド装置のように、合成樹脂製糸の織物又は編物からなっているが、本発明は、これに限定されず、不職布、皮革又は合成樹脂製のテープ等からなっていてもよい。合成樹脂製糸としてはポリエステル製糸が好ましく、斯かるポリエステル製糸を平織りした幅６ｍｍないし１２ｍｍ、厚み０．４ｍｍないし０．７ｍｍ、より具体的には幅７ｍｍ、厚み０．６ｍｍの可撓性を有した帯状体を更に好ましいものとして挙げることができる。
【００２７】
本発明において上昇・下降機構は、その第六の態様のブラインド装置のように、最下位のアーム部材に連結されており、最下位のアーム部材を持ち上げてスラットを上昇させるようになっていても、これに代えて、その第七の態様のブラインド装置のように、チルト機構を介して最上位のアーム部材に連結されており、チルト機構を介して最上位のアーム部材を持ち上げてスラットを上昇させるようになっていてもよい。
【００２８】
次に本発明及びその実施の形態を、図に示す好ましい例に基づいて更に詳細に説明する。なお、本発明はこれらに何等限定されないのである。
【００２９】
【発明の実施の形態】
図１及び図２において本例のブラインド装置１１０は、特開平８−３２６４４５号公報に記載のブラインド装置１において、リンク部材２２及び２４に代えて、可撓性の帯状体１１１及び１１２を用いてリンク機構２及び３を構成したものであって、その他はブラインド装置１と同様に構成されている。即ち、ブラインド装置１１０のリンク機構２は、各アーム部材３１の一端部４に連結された一本の可撓性の帯状体１１１を具備しており、リンク機構３は、各アーム部材３１の他端部６に連結された一本の可撓性の帯状体１１２を具備している。
【００３０】
合成樹脂製糸の織物又は編物からなる帯状体１１１及び１１２の夫々には、図５（ａ）に示すように、部位１１５及び１１６で縫合又は溶着された三層の重ね合わせ部１１７と、重ね合わせ部１１７に連続したループ部１１８とをその長手方向に等間隔に有していると共に、その長手方向において略等間隔であってループ部１１８間の略中間に折り畳み方向を規定する縫合線部又は溶着線部１１９を有しており、アーム本体１２１とアーム本体１２１の各端部（一端部４及び他端部６に相当）に設けられている軸部５及び７とを具備しているアーム部材３１の夫々は、軸部５及び７が帯状体１１１及び１１２のループ部１１８に挿着されて帯状体１１１及び１１２を介して互いに連結されている。
【００３１】
軸２１及び２３を介して互いに回動自在に連結された一対のリンク部材２２及び２４列に代えて、可撓性の帯状体１１１及び１１２を用いてリンク機構２及び３を構成したブラインド装置１１０では、図３及び図４に示すように、縫合線部又は溶着線部１１９において帯状体１１１及び１１２を意図した方向に容易に折り畳むことができる結果、リンク機構２及び３の折り畳み、伸長を滑らかに行わせることができ、スラット９の持ち上げ、下降を容易に行い得、しかも、リンク機構２及び３を短時間で組立できる上に、ループ部１１８にアーム部材３１の軸部５及び７を挿入することにより、簡単に各スラット支持機構８をリンク機構２及び３を介して連結でき、組立工数を大幅に低減できる。なお、図３においては、各アーム本体１２１間の全てにおいて帯状体１１１及び１１２が同時的に折り畳まれるように示されているが、実際には、スラット９の持ち上げに際しては、下方の各アーム本体１２１間から順次上方の各アーム本体１２１間に帯状体１１１及び１１２の折り畳みが行われるようになり、最後に図４に示すように各アーム本体１２１間の全てにおいて帯状体１１１及び１１２が折り畳まれるようになり、スラット９の下降に際しては、上方の各アーム本体１２１間から順次下方の各アーム本体１２１間に帯状体１１１及び１１２の折り畳みの解除、即ち伸長が行われるようになる。また、帯状体１１１及び１１２が可撓性を有しているので、各アーム本体１２１間で折り畳まれた帯状体１１１及び１１２は、縫合線部又は溶着線部１１９側に向かうにしたがって順次下方に垂れ下がるようになる。
【００３２】
なお、図５（ｂ）に示すように、四層の重ね合わせ部１２４を部位１２２及び１２３で縫合又は溶着してループ部１１８を形成してもよく、また図５（ｃ）に示すように、二層の重ね合わせ部１２５を当該重ね合わせ部１２５で縫合又は溶着してループ部１１８を形成してもよい。また図５（ｄ）に示すように、孔１３１を形成する合成樹脂製の孔形成部材１３２を帯状体１１１及び１１２の夫々にその長手方向に等間隔に縫合又は溶着し、各アーム部材３１の軸部５及び７を各孔１３１に挿着して、各アーム部材３１をリンク機構２及び３に連結してもよい。
【００３３】
またワイヤ５０及び５１を省く一方、帯状体１１１及び１１２の夫々を最上位のアーム部材３１以上に更に上方に伸ばして、帯状体１１１及び１１２の夫々の上端部をワイヤ５０及び５１の場合と同様にして回転体４３に連結してもよい。
【００３４】
ところで上記のブラインド装置１１０では、上昇・下降機構１４により最下位のアーム部材３１を持ち上げてスラット９を上昇させるようにしたが、これに代えて、図６から図１０に示すように、上昇・下降機構を、チルト機構を介して最上位のアーム部材３１に連結し、斯かるチルト機構を介して最上位のアーム部材３１を持ち上げてスラット９を上昇させるようにしてもよい。
【００３５】
即ち、図６から図９に示すブラインド装置２０１において、上昇・下降機構２０２は、縦枠３３の上端に取り付けられたブラケット２０３に回転自在に支持されたプーリ２０４と、プーリ２０４に巻き付けられていると共に繰り出し端２０５が軸２０６に巻き付けられた金属性のベルト２０７と、軸２０６に回転自在に取り付けられた可動台２０８と、ローラ案内路２０９に配されて、可動台２０８に回転自在に支持されたローラ２１０及び２１１と、プーリ２０４を回転させる回転駆動装置２１５とを具備している。
【００３６】
回転駆動装置２１５は、ブラケット２０３に取り付けられた減速機付き電動モータ２１６と、電動モータ２１６の減速機の出力回転軸に取り付けられた歯車２１７と、軸４１に固着されて歯車２１７に噛み合った歯車２１８と、ベルト２０７の転向を夫々案内すべく、ブラケット２０３に回転自在に装着された転向ローラ２１９とを具備している。
【００３７】
プーリ２０４は軸４１に固着されており、ローラ案内路２０９は、縦枠３３に一体的に形成された一対の案内壁２２０により画成されている。
【００３８】
またブラインド装置２０１において、チルト機構２３１は、最上位のアーム部材３１のアーム本体１２１と一体なチルトアーム２３２と、チルトアーム２３２の回動状態を設定するカム機構２３３とを具備しており、ベルト２０７の繰り出し端２０５が巻き付けられて連結された軸２０６は、アーム本体１２１に軸部３５と反対の位置で当該軸部３５と同心になるように固着されており、こうしてベルト２０７の繰り出し端２０５が軸２０６を介してスラット支持機構８に連結されていることにより、上昇・下降機構２０２は、最上位のスラット支持機構８を持ち上げるようになっている。
【００３９】
カム機構２３３は、チルトアーム２３２の中間部に回転自在に取り付けられたカムとしてのローラ２４１と、縦枠３３に設けられて、上昇・下降機構２０２によるスラット支持機構８の上端の持ち上げにおいてローラ２４１の移動を案内する案内面２４２とを具備している。
【００４０】
案内面２４２は、上下方向に伸びた直線案内面２４３と、直線案内面２４３に連続しており、直線案内面２４３の伸びる方向に対して交差、本例では直交して伸びた交差案内面２４４とを具備しており、直線案内面２４３は、軸部３５が貫通すると共に、軸部３５の上下移動を許容するように上下方向に伸びた案内路３４を画定しており、交差案内面２４４は、案内路３４に連続しており、案内路３４の伸びる方向に対して交差、本例では直交して伸びた交差案内路２４５を画定している。
【００４１】
ブラインド装置２０１においては、リンク機構３の帯状体１１２の下端は、最下位のアーム部材３１の軸部７で終端されている一方、リンク機構２の帯状体１１１の下端は、最下位のアーム部材３１の軸部５から更に伸びて弾性機構２５１に連結されている。
【００４２】
弾性機構２５１は、縦枠３３の下端に固定されたブラケット２５２と、ブラケット２５２に取り付けられた案内ロッド２５３と、案内ロッド２５３に上下方向に移動自在に装着された可動体２５４と、可動体２５４を下方に弾性的に付勢するように、ブラケット２５２と可動体２５４との間に案内ロッド２５３を取り囲んで配されたコイルばね２５５と、可動体２５４に固着された軸ピン２５６とを具備しており、帯状体１１１の下端のループ部１１８に軸ピン２５６が挿通されており、こうして帯状体１１１の下端は、軸ピン２５６を介して可動体２５４に連結されている。
【００４３】
以上のブラインド装置２０１では、開口部の開放状態においては、帯状体１１１及び１１２は折り畳まれており、スラット９の夫々は下方に互いに密に重合されて（束ねられて）いる。開口部の閉鎖に際しては、まず、電動モータ２１６が作動されてその出力回転軸の回転により、歯車２１７、２１８、軸４１を介してプーリ２０４が回転され、これによりベルト２０７がプーリ２０４に巻き込まれて、チルトアーム２３２が可動台２０８並びにローラ２１０及び２１１を介してローラ案内路２０９に案内されて上昇されると共に、チルトアーム２３２の上昇により、図９に示すように、帯状体１１１及び１１２もその上端側から伸長され、而してアーム部材３１も上方側から上方に持ち上げられる結果、アーム部材３１に固定されたスラット９の夫々は、順次、閉鎖方向に持ち上げられる。図６に示すように、カムローラ２４１が直線案内面２４３に当接して案内されている際には、スラット９がほぼ水平方向の傾動状態に保持される。
【００４４】
更に、ベルト２０７のプーリ２０４への巻き込みにより帯状体１１１及び１１２が伸長されて、開口部の完全閉鎖直前位置で帯状体１１１が伸びきると、帯状体１１１は、コイルばね２５５により弾性的に下方に付勢されて、チルトアーム２３２に図６において反時計回りの回転モーメントを生じさせることになる。斯かる状態でカムローラ２４１が交差案内面２４４に臨んで、直線案内面２４３への当接案内から交差案内面２４４への当接案内に移行して交差案内路２４５に配されると、チルトアーム２３２が回動され始めて、帯状体１１１に対して帯状体１１２がより持ち上げられるようになり、これにより図６においてスラット９が反時計回りの方向に回動され、順次垂直方向の傾動状態に設定される。更に、ベルト２０７のプーリ２０４への巻き込みにより、交差案内面２４４への当接案内に基づくチルトアーム２３２の回動で、図１０に示すように、帯状体１１１及び１１２のほぼ全長が伸長されて、スラット９がほぼ垂直方向の傾動状態に保持されて全閉される。その後、電動モータ２１６の作動が停止され閉鎖動作が完了する。電動モータ２１６の作動停止が若干遅れて、伸びきった帯状体１１１において、その下端が上方に引っ張られても、コイルばね２５５により弾性的に下方に付勢された可動体２５４が上方に移動するため、電動モータ２１６の作動停止の遅れがあっても、帯状体１１１の下端が損傷することがない。
【００４５】
開口部の開放においては、電動モータ２１６が前記と逆作動され、これによりカムローラ２４１が交差案内面２４４への当接案内から直線案内面２４３への当接案内に移行して、帯状体１１１及び１１２は下方から順次折り畳まれるようになる。
【００４６】
ブラインド装置２０１でも、縫合線部又は溶着線部１１９において帯状体１１１及び１１２を意図した方向に容易に折り畳むことができる結果、リンク機構２及び３の折り畳み、伸長を滑らかに行わせることができ、スラット９の持ち上げ、下降を容易に行い得、しかも、リンク機構２及び３を短時間で組立できる上に、ループ部１１８にアーム部材３１の軸部５及び７を挿入することにより、簡単に各スラット支持機構８をリンク機構２及び３を介して連結でき、組立工数を大幅に低減できる。
【００４７】
上記の上昇・下降機構では、電動モータを具備して、自動でスラット９を持ち上げるように構成したが、これに代えて、手動でスラット９を持ち上げるように上昇・下降機構２０２を構成してもよい。
【００４８】
【発明の効果】
本発明によれば、リンク機構を短時間で組立でき、しかも、リンク機構の折り畳み、伸長を滑らかに行わせることができ、スラットの持ち上げ、下降を容易に行い得るブラインド装置を提供することができる。
【図面の簡単な説明】
【図１】本発明の好ましい一例の斜視図である。
【図２】図１に示す例の一部の斜視図である。
【図３】図１に示す例の動作説明図である。
【図４】図１に示す例の動作説明図である。
【図５】図１に示す例の説明図である。
【図６】本発明の好ましい他の例の断面図である。
【図７】図６に示す例の一部の断面図である。
【図８】図６に示す例の一部の断面図である。
【図９】図６に示す例の動作説明図である。
【図１０】図６に示す例の動作説明図である。
【図１１】従来例の斜視図である。
【図１２】図１１に示す例の側面説明図である。
【図１３】図１１に示す例の正面説明図である。
【図１４】図１１に示す例の一部平面説明図である。
【図１５】図１１に示す例の一部説明図である。
【図１６】図１１に示す例の動作説明図である。
【図１７】図１１に示す例の動作説明図である。
【図１８】図１１に示す例の動作説明図である。
【図１９】図１１に示す例の動作説明図である。
【符号の説明】
２、３  リンク機構
８  スラット支持機構
９  スラット
１２  チルト機構
１４  上昇・下降機構
３１  アーム部材
１１０  ブラインド装置
１１１、１１２  帯状体
【図１】
0003829685.tif 000002
【図２】
0003829685.tif 000003
【図３】
0003829685.tif 000004
【図４】
0003829685.tif 000005
【図５】
0003829685.tif 000006
【図６】
0003829685.tif 000007
【図７】
0003829685.tif 000008
【図８】
0003829685.tif 000009
【図９】
0003829685.tif 000010
【図１０】
0003829685.tif 000011
【図１１】
0003829685.tif 000012
【図１２】
0003829685.tif 000013
【図１３】
0003829685.tif 000014
【図１４】
0003829685.tif 000015
【図１５】
0003829685.tif 000016
【図１６】
0003829685.tif 000017
【図１７】
0003829685.tif 000018
【図１８】
0003829685.tif 000019
【図１９】
0003829685.tif 000020